(57)【特許請求の範囲】
【請求項１】
ワークロールおよび金属板の少なくとも一方に圧延剤を供給しつつ、一対のワークロール間を金属板を通して金属板の圧延を行う圧延装置であって、
前記ワークロールの出側に設けられる、下端部が前記金属板の上面よりも上方に位置する板状の基材と、前記基材の少なくとも一方の面に設けられる、前記基材よりも前記ワークロール側に突出し、かつ、前記基材よりも前記金属板側に突出する、少なくとも一部が、少なくとも上側の前記ワークロールに接触している、柔軟性を有するシート状物とを有する板状部材を有し、
この板状部材を、前記ワークロールの出側で、かつ、板道より外方の両側に、前記板道に沿って前記金属板上面に対して立設状態で設けられることを特徴とする圧延装置。
【請求項２】
前記シート状物がフェルトである請求項１に記載の圧延装置。
【請求項３】
前記板状部材の間隔が調節可能である請求項１または２に記載の圧延装置。
【請求項４】
前記基材は、前記金属板およびワークロールに接触しない位置に配置され、前記シート状物は、少なくとも、前記金属板と近接する下端部および前記ワークロールに近接または接触する部分が、前記基材の端部よりも外方に突出するように設けられる請求項１〜３のいずれかに記載の圧延装置。
【請求項５】
前記板状部材は、前記金属板の搬送方向と逆側の端部において、前記金属板の厚さ方向のサイズが、前記金属板の搬送方向と逆方向に沿って、漸次、縮小するように傾斜する請求項１〜４のいずれかに記載の圧延装置。
【請求項６】
前記板状部材の、前記金属板の搬送方向と逆方向に沿って、漸次、縮小するように傾斜する部分が、前記ワークロールの外周に沿った曲率を有する曲線で形成される請求項５に記載の圧延装置。
【発明の詳細な説明】
【技術分野】
【０００１】
本発明は、鋼板等の金属板の湿式調質圧延や２回圧延などに代表される、圧延剤をワークロールや金属板に供給しながら圧延を行う、湿式の圧延装置に関する。
【背景技術】
【０００２】
いわゆる調質圧延としては、圧延剤（調圧剤／圧延油）を用いる湿式の調質圧延（ウエット式圧延）と、圧延剤を使用しないで圧延を行う乾式の調質圧延（ドライ式調質圧延）との２種類が有る。
【０００３】
周知のように、湿式の調質圧延や、ぶりき原板を製造するために２０％程度の圧下率を付与する２回圧延等では、圧延を行うワークロールの入り側において、ワークロールおよび／または金属板に、潤滑機能を有する圧延剤を供給して、圧延を行う。
湿式の調質圧延では、圧延剤を用いることで、乾式の調質圧延と比較して大きな伸び率を得ることができ、圧延剤を供給して、所定の伸び、圧下率などを付与して、所望の金属板を製造している。
【０００４】
このような湿式の調質圧延は、乾式の調質圧延に比して大きな伸び率が得られる事に加え、圧延剤でロールを洗浄することで、異物がロール表面に付着することで発生する押し込み疵などを防止することができるため、広く適用されている。
しかしながら、その反面、湿式の調質圧延では、特許文献１等に示されるように、圧延剤を用いることで、圧延機内部では圧延剤が飛散し、圧延後の金属板に滴下し、汚れとして金属板の表面品質の低下や、表面欠陥検出装置での誤認識を生じさせることがある。
また、２回圧延の場合、滴下した圧延剤が後段のワークロールで圧延されて、オイルピットムラとなり、金属板の表面品質を著しく低下させ、歩留の低下を招いていた。
【０００５】
圧延剤を圧延後の金属板へ落下させない手段として、特許文献２では、圧延機内において、ワークロールの出側の金属板上方で、かつ、金属板の幅方向に延在して、圧延剤の液滴を受ける樋を設け、かつ、この樋の外周にスポンジを設けること提案している。
この方法によれば、圧延機内の樋の設置位置では、設備から圧延後の金属板への圧延剤の滴下を防げる。しかしながら、この方法では、板道の外側（ロールバイトの外側／金属板の幅方向の両外側）のワークロール間に侵入した圧延剤が飛散して、圧延後の金属板上面に付着することは、防げない。
【０００６】
また、特許文献３では、ワークロールの出側に、ワークロールの表面に付着した余分な圧延剤を除去する除去装置、例えば、圧延剤を吸引する吸引装置を設けることを提案している。さらに、前述の特許文献１でも、ワークロールの出側において、金属板の上に金属板の幅方向に延在する樋を設け、樋の幅方向両側に上側圧延ロールの圧延剤を拭うワイパを設け、さらに、幅方向の中央から外方に向けて圧縮空気を吹き付けるノズルを設けることを、提案している。
しかしながら、これらの方法は、いずれも、大掛かりな設備が必要であり、設備の構成や設備コスト等の点で、不利である。
【先行技術文献】
【特許文献】
【０００７】
【特許文献１】特開平７−２９０１２３号公報
【特許文献２】特開平１１−２６７７２０号公報
【特許文献３】特開平５−６９０２８号公報
【発明の概要】
【発明が解決しようとする課題】
【０００８】
本発明の目的は、前記従来技術の問題点を解決することにあり、大掛かりな設備を必要とせず、簡易な構成で、特に板道の外側のワークロール間に侵入して、此処から飛散した圧延剤が、圧延後の金属板の上面に付着することを防止できる圧延装置を提供することにある。
【課題を解決するための手段】
【０００９】
前記目的を達成するために、本発明の圧延装置は、ワークロールおよび金属板の少なくとも一方に圧延剤を供給しつつ、一対のワークロール間を金属板を通して金属板の圧延を行う圧延装置であって、剛性を有する板状の基材と、この基材と前記金属板およびワークロールとの間で、前記基材よりも前記金属板およびワークロール側に位置する、柔軟性を有するシート状物とを有する板状部材を有し、この板状部材を、前記ワークロールの出側で、かつ、板道より外方の両側に、前記板道に沿って前記金属板上面に対して立設状態で設けたことを特徴とする圧延装置を提供する。
【００１０】
このような本発明の圧延装置において、前記シート状物がフェルトであるのが好ましい。
また、前記板状部材の間隔が調節可能であるのが好ましい。
また、前記シート状物の少なくとも一部が、少なくとも上側の前記ワークロールに接触しているのが好ましい。
また、前記基材は、前記金属板およびワークロールに接触しない位置に配置され、前記シート状物は、少なくとも前記金属板と近接する下端部および前記ワークロールに近接または接触する部分が、前記基材の端部よりも外方に突出するように設けられるのが好ましい。
また、前記板状部材は、前記金属板の搬送方向と逆側の端部において、前記金属板の厚さ方向のサイズが、漸次、縮小するように傾斜するのが好ましい。
さらに、前記傾斜部が、前記ワークロールの外周に沿った曲率を有する曲線で形成されるのが好ましい。
【発明の効果】
【００１１】
本発明の圧延装置によれば、ワークロールの出側において、板道の両側に板状部材を設けたので、板道の外側のワークロール間から飛散した圧延剤を、この板状部材で遮蔽することができる。すなわち、板道の外側から飛散した圧延剤が、圧延後の金属板上面に付着することを防止できる。
従って、本発明によれば、湿式の圧延を含む金属板の製造において、金属板の表面性状の悪化等に起因する品質不良による歩留り低下を抑制し、さらに、品質不良製品を修復する救済工程にかかるコストも低減できる。しかも、本発明は、板道の両側に２枚の板状部材を設けただけの簡易かつ安価な構成で、このような優れた効果を実現できる。
【図面の簡単な説明】
【００１２】
【図１】本発明の圧延装置の一例を概念的に示す図であって、（Ａ）は正面図、（Ｂ）は側面図である。
【図２】図１に示す圧延装置のサイドカーテンを概念的に示す図であって、（Ａ）は正面図、（Ｂ）は（Ａ）のｂ−ｂ線断面図である。
【図３】サイドカーテンの下端部分を概念的に示す図である。
【発明を実施するための形態】
【００１３】
以下、本発明の圧延装置について、添付の図面に示される好適実施例を基に、詳細に説明する。
【００１４】
図１に、本発明の圧延装置を調質圧延装置に利用した一例を、概念的に示す。
なお、図１において、（Ａ）は、この調質圧延装置をワークロールの回転軸方向から見た図（正面図）であり、（Ｂ）は、この調質圧延装置をワークロールの出側（金属板搬送方向の下流側）から見た概念図（側面図）である。
【００１５】
図１に示す調質圧延装置１０は、金属板Ｓの湿式調質圧延を行う装置であって、上側ワークロール１２ａおよび下側ワークロール１２ｂと、バックアップロール１４ａおよび１４ｂと、圧延剤供給装置１６ａおよび１６ｂと、洗浄装置１８ａおよび１８ｂと、コブルガード２０と、本発明における板状部材であるサイドカーテン２４ａおよび２４ｂとを有して構成される。
なお、図１（Ｂ）においては、図面を簡略化して、本発明の調質圧延装置１０の構造を明確に示すために、洗浄手段１８ａおよび１８ｂ、ならびに、コブルガード２０は、省略している。
また、図１には、本発明の圧延装置を湿式の調質圧延装置に利用した例を示したが、本発明の圧延装置は、これに限るものではなく、湿式の圧延を行うものであれば、各種の圧延装置に適用できる。例えば、金属板Ｓの調質圧延、ブリキ原板製造のための２０％程度の圧下率を付与する２回圧延の内の１回などを行う装置などが例示される。
【００１６】
なお、図１に示す調質圧延装置１０において、金属板Ｓの搬送方向は、図１（Ａ）中に矢印ｘで示す方向である。すなわち、上側ワークロール１２ａおよび下側ワークロール１２ｂの出側から見た図１（Ｂ）では、金属板Ｓの搬送方向は、紙面の奥手側から手前側に向かう方向である。
【００１７】
調質圧延装置１０は、本発明の特徴部分であるサイドカーテン２４ａおよび２４ｂを有する以外は、基本的に、公知の湿式の調質圧延装置と同様のものである。
従って、上側ワークロール１２ａおよび下側ワークロール１２ｂは、金属板および／または自身に圧延剤を供給された状態で、金属板Ｓを挟持搬送することで調質圧延する、湿式の調質圧延装置に用いられる公知のワークロール（圧延ロール）である。
また、通常の調質圧延装置と同様、図示例の調質圧延装置１０においても、上側ワークロール１２ａにはバックアップロール１４ａが、下側ワークロール１２ｂにはバックアップロール１４ｂが、それぞれ、設けられている。
【００１８】
圧延剤供給装置１６ａは、圧延剤（調圧剤／圧延油／調質圧延液）を、金属板Ｓの上面および／または上側ワークロール１２ａに供給するものである。他方、圧延剤供給装置１６ｂは、圧延剤を、金属板Ｓの下面および／または下側ワークロール１２ｂに供給するものである。
【００１９】
洗浄装置１８ａは、バックアップロール１４ａに温水等の洗浄液を噴射して、バックアップロール１４ａに付着した圧延剤や異物の除去等、バックアップロール１４ａの洗浄を行うものである。洗浄装置１８ｂも、同様に、バックアップロール１４ｂに温水等の洗浄液を噴射して、バックアップロール１４ｂの洗浄を行うものである。
調質圧延装置１０において、これらの圧延剤供給装置および洗浄装置も、調質圧延装置に用いられる公知のものである。また、洗浄液は、バックアップロールの冷却液すなわちワークロールの冷却液を兼ねてもよい。
【００２０】
コブルガード２０は、圧延中に金属板Ｓが破断した場合に、金属板Ｓがワークロールに巻き付くのを防止するためのものであり、上述の各部材と同様に、調質圧延装置に用いられる公知のものである。
なお、コブルガード２０は、バックアップロール１４ａの洗浄液が、圧延後の金属板Ｓや上側ワークロール１２ａに付着することを防止する機能を有してもよい。
【００２１】
サイドカーテン２４ａおよび２４ｂは、本発明の圧延装置における板状部材であって、本発明の特徴的な部材である。
図１（Ｂ）に示すように、サイドカーテン２４ａおよび２４ｂはワークロールの出側において、金属板Ｓの金属板面方向の板道（搬送される金属板Ｓ）の両外側に、金属板Ｓの金属板面に対して立設して、板道に沿って配置される、板状の部材である。図示例において、サイドカーテン２４ａは、金属板Ｓの搬送方向に向かって右側に、サイドカーテン２４ｂは、同左側に配置される。
【００２２】
図２に、サイドカーテン２４ａを概念的に示す。図２において、（Ａ）は正面図（図１（Ａ）と同方向の図）、（Ｂ）は（Ａ）のｂ−ｂ線断面図である。また、図３に、サイドカーテン２４ａの下端部近傍を概念的に示す（サイドカーテン２４ａのみ、図２（Ｂ）と同様の断面で示す）。
なお、サイドカーテン２４ａとサイドカーテン２４ｂとは、基本的な構成は同じであるので、以下の説明は、サイドカーテン２４ａを代表例として行い、サイドカーテン２４ｂに関しては、必要な場合のみ、説明を行う。
【００２３】
サイドカーテン２４ａは、基本的に、基材３０と、基材３０の内側面（金属板Ｓ側の面）の全面を覆い、さらに、少なくとも、金属板Ｓと近接する下端部および上側ワークロール１２ａに近接または接触する部分が、基材３０よりも大きいサイズの、フェルト３２とから構成される。すなわち、フェルト３２は、少なくとも下端部および上側ワークロール１２ａとの対面部（上流側端部）で、基材３０の端部から外方に突出する（端部が、基材３０の端部より、金属板Ｓおよびワークロール１２ａ側に位置する）。
基材３０は、一例として、網目鋼板で形成される。また、図示例において、基材３０は、金属板Ｓの搬送方向の上流側（以下、こちら側を単に上流側、逆側を下流側とする）の端部が、上流側に向かって高さ（金属板Ｓの厚さ方向のサイズ）が漸減する曲線状である、略長方形状を有する。また、基材３０の、この上流側端部の曲線は、上側ワークロール１２ａの外周に沿っている（例えば、上側ワークロール１２ａよりも大きな半径の円弧で、円弧とロールの中心が一致している）。
【００２４】
前述のように、フェルト３２は、少なくとも金属板Ｓと近接する下端部および上側ワークロール１２ａに接する曲線部が基材３０よりも大きいサイズである。このような構成とすることにより、圧延剤の飛散を効率よく抑え、上側ワークロール１２ａや金属板Ｓに近接させたサイドカーテン２４ａが接触したとしても、上側ワークロール１２ａや金属板Ｓに疵が入ることがない。
また、フェルト３２は、好ましい態様として、上流側の端部（上側ワークロール１２ａとの対面部）が、上流側ワークロール１２ａの外周に沿った曲率を有する曲線状で、その全域が、上側ワークロール１２ａに接触している。
【００２５】
サイドカーテン２４ａおよび２４ｂは、共に、ワークロールの出側（上側ワークロール１２ａおよび下側ワークロール１２ｂによる圧延位置よりも下流）において、板道よりも外側で、最大面をワークロールの回転軸に直交して、かつ、金属板Ｓの上面に対して垂直に立設する状態として、板道に平行に配置される。
また、サイドカーテン２４ａおよび２４ｂは、下端部（下側ワークロール１２ｂ側の端部）を金属板Ｓの下面と一致して、板道すなわち金属板Ｓの幅よりも若干広い、板道と略等しい間隔を有して、配置される。すなわち、サイドカーテン２４ａおよび２４ｂは、その下端部で、若干の間隙を有して板道（金属板Ｓの端部）を挟むように配置される。
さらに、サイドカーテン２４ａおよび２４ｂは、基材３０が上側ワークロール１２ａおよび金属板Ｓに接触しない位置で、かつ、上流側端部のフェルト３２（上側ワークロール１２ａとの対面部のフェルト３２）が、上側ワークロール１２ａに近接または接触する位置に配置される。従って、サイドカーテン２４ａおよび２４ｂは、基材３０が、金属板Ｓに接触しない高さ（板道よりも上）で、かつ、上側ワークロール１２ａと確実に離間する位置となるように、配置されるのが好ましい。
【００２６】
加えて、サイドカーテン２４ａおよび２４ｂは、上記金属板Ｓおよび上側ワークロール１２ａとの位置関係を維持した状態で、板道の幅（圧延する金属板Ｓの幅）に応じて、金属板Ｓの幅方向に移動して、間隔を変更可能にされている。
【００２７】
本発明は、板道の両外側に、このようなサイドカーテン２４ａおよび２４ｂを有することにより、特に、板道の外側（ロールバイトの外側／金属板の幅方向の外側）のワークロール間から飛散する圧延剤が、圧延された金属板Ｓに付着、特に圧延後の金属板Ｓの上面に付着することを、大幅に抑制している。
【００２８】
前述のように、図示例の調質圧延装置１０などの湿式の圧延装置では、圧延機内部で圧延剤が飛散し、圧延後の金属板に付着して品質低下等の問題を生じている。
このような問題を解決するために、圧延装置内に樋を通す、ワークロールの出側に圧延剤の吸引装置を設ける、ワークロールに付着した圧延剤を拭うワイパを設ける、幅方向の中央から外側に向けて圧縮空気を吹き付けるノズルを設ける等の提案がされている。
しかしながら、これらの従来の方法では、前述の板道外のワークロール間から飛翔する圧延剤が金属板に付着することを十分に防止できない、大掛かりな設備が必要で有りコスト等の面で不利である等、各種の問題を有する。
【００２９】
これに対し、本発明の圧延装置は、図示例の調質圧延装置１０のように、板道の両外側に、金属板Ｓの上面方向に対して立設するサイドカーテン２４ａおよび２４ｂ（板状部材）を設けることにより、板道外のワークロール間から飛翔し、内側（金属板Ｓの幅方向の中央）に向かう圧延剤を、このサイドカーテン２４ａおよび２４ｂで遮蔽できる。
そのため、本発明の調質圧延装置１０によれば、圧延後の金属板Ｓの上面に、板道外のワークロール間から飛散した圧延剤が付着することを、大幅に防止できる。
また、サイドカーテン２４ａおよび２４ｂは、基材３０の内側面全面を覆い、少なくとも金属板Ｓに近接する下端部および上側ワークロール１２ａと近接もしは接触する部分のサイズが基材３０より大きいフェルト３２を有しているので、仮に、サイドカーテン２４ａおよび２４ｂと、金属板Ｓ、上側ワークロール１２ａや下側ワークロール１２ｂとが不要に接触しても、金属板Ｓ等を損傷することが無い。
さらに、剛性を有する基材３０を有するので、圧延装置（ミル）内の吸気による風によって、不要に動く事も無い。
【００３０】
本発明において、サイドカーテン２４ａ（板状部材）の基材３０は、図示例のような網目鋼板に限定はされず、剛性を有する板状物が、各種、利用可能である。
一例として、通常の鋼板、アルミニウム等の各種の金属板、木材、プラスチック板等が例示される。
中でも、軽量化、圧延装置の構成に応じた加工の容易性やコスト等の点で、図示例の網目鋼板は、好適に例示される。
【００３１】
図示例のサイドカーテン２４ａは、柔軟性を有するシート状物として、フェルト３２を用いているが、本発明は、これに限定はされない。
すなわち、柔軟性を有するシート状物は、接触してもワークロールおよび金属板Ｓを損傷しない柔軟性を有し、好ましくは圧延剤をある程度吸収する材質であれば、より好ましくは圧延剤を跳ね返さずにある程度吸収する材質であれば、各種の布材や不織布、スポンジ等の弾性を有する多孔質材等が利用可能である。
中でも、サイドカーテン２４ａと接触した際のワークロールおよび金属板Ｓの損傷を好適に防止でき、圧延剤を吸収する点で、フェルトが特に好ましい。
【００３２】
前述のように、図示例のサイドカーテン２４ａにおいては、フェルト３２は、基材３０の内側面全面を覆い、少なくとも金属板Ｓと近接する下端部およびワークロール１２ａに接する（もしくは近接する）曲線部が基材３０よりも大きいサイズとして配置される。
しかしながら、本発明において、フェルト３２（柔軟性のシート状物）は、このように基材３０を覆うのに限定はされない。すなわち、フェルト３２は、少なくとも基材３０とワークロールおよび金属板Ｓとの間において、基材３０よりもワークロールおよび金属板Ｓ側に位置し（少なくとも下端部および上流側先端部において、端部が基材３０の端部から突出し）、基材３０が直接、ワークロールおよび金属板Ｓと接触することを防止できれば、各種の形状が利用可能である。
【００３３】
一例として、基材３０全面をフェルト３２で覆ってもよい。あるいは、基材３０を拡大した形状の１枚のフェルト３２で基材３０の内側面を覆ってもよく、もしくは、基材３０を拡大した形状の２枚のフェルト３２で基材３０を挟持してもよい。
【００３４】
なお、本発明においては、フェルト３２は、端部が基材３０の端部から突出した構成にも限定はされず、基材３０から突出した位置でフェルト３２を折り返してもよい。
【００３５】
なお、フェルト３２の基材３０からの突出量（すなわち図３のｔ1）には、特に限定はない。すなわち、サイドカーテン２４ａの形状、フェルト３２（シート状物）の剛性、圧延装置の構成等に応じて、装置内の風によって不要に動くことが無く、かつ、基材３０がワークロールおよび金属板Ｓに接触することを防止でき、さらに、サイドカーテン２４ａを十分に上側ワークロール１２ａおよび金属板Ｓに近接あるいは接触できる突出量を、適宜、決定すればよい。
また、このフェルト３２の基材３０端部からの突出量ｔ1は、全域に渡って均一であってもよく、あるいは、突出量ｔ1が異なる領域が、混在してもよい。
【００３６】
サイドカーテン２４ａは、サイドカーテン２４ａの形状や調質圧延装置１０の構成等に応じて、可能な限り、上側ワークロール１２ａおよび金属板Ｓと近接して（両者との隙間を小さくして）、配置するのが好ましい。サイドカーテン２４ａが上側ワークロール１２ａおよび金属板Ｓと近接するほど、ロールバイト外のワークロール間から飛散する圧延剤が、金属板Ｓの上面に付着することを、確実に防止できる。
【００３７】
従って、図示例のように、サイドカーテン２４ａは、上流側の端部（すなわち上側ワークロール１２ａに対面する部分のフェルト３２）の少なくとも一部を、上側ワークロール１２ａに接触して配置されるのが好ましい。
また、サイドカーテン２４ａを上側ワークロール１２ａに接触し易い、あるいは、近接し易い等の点で、サイドカーテン２４ａの上流側の端部が、上流側に向かって高さが漸減する形状は、好ましい。
特に、サイドカーテン２４ａの上流側の端部の全域を、上側ワークロール１２ａに接触し易い等の点で、図示例のように、サイドカーテン２４ａの上流側の端部が、上側ワークロール１２ａの外周に沿った曲率を有する曲線状である形状は、好ましく利用される。
あるいは、ワークロールの径の変更にも好適に対応できる等の点で、サイドカーテン２４ａの上流側の端部が、上流側に向かって高さが漸減する、曲率が上側ワークロール１２ａより大きな曲線状である形状も、好ましく利用される。
なお、図示例は、サイドカーテン２４ａの上流側の端部の全域が上側ワークロール１２ａに接触しているが、本発明は、これに限定はされない。すなわち、サイドカーテン２４ａの上流側の端部は、一部（好ましくは下部領域）が上側ワークロール１２ａに接触してもよく、あるいは、全域が上側ワークロール１２ａと離間して近接してもよい。
【００３８】
サイドカーテン２４ａは、金属板面方向の板道（金属板Ｓ）の外側に配置される。
ここで、サイドカーテン２４ａと板道との、金属板面方向の間隔（図３中の間隔ｔ2）にも、特に限定は無い。すなわち、サイドカーテン２４ａの位置は、ワークロールの端部よりも内側であれば、その位置に応じて、板道外のワークロール間から飛散した圧延剤が、圧延後の金属板Ｓの上面に付着することの防止効果を得ることができる。しかしながら、ロールバイト外のワークロール間から飛散する圧延剤が、金属板Ｓの上面に付着することを、確実に防止するためには、この間隔ｔ2は、金属板Ｓの損傷を防止できる範囲で、可能な限り狭い方が好ましい。
ここで、本発明者の検討によれば、金属板Ｓ上面への圧延剤の付着効果を十分に得るためには、この間隔ｔ2は、１０ｍｍ以下、特に、５ｍｍ以下とするのが好ましい。
【００３９】
また、サイドカーテン２４ａの下端部の高さも、図示例の金属板Ｓの下面位置に限定はされず、サイドカーテン２４ａの形状、サイドカーテン２４ａの金属板Ｓ幅方向の位置等に応じて、適宜、設定すればよい。
ここで、本発明者の検討によれば、金属板Ｓ上面への圧延剤の付着防止効果を十分に得るためには、サイドカーテン２４ａの下端部は、金属板Ｓより低い位置とするのが好ましい。金属板Ｓと接触せず近接する位置に設置すれば、金属板Ｓより低い位置に設置することが可能である。ただし、その場合でも、基材３０が金属板Ｓと接触することを避けるために、基材３０は、金属板Ｓの高さよりも高い位置に設置することが必要で、フェルト３２を金属板Ｓよりも低い位置に設置することが好ましい。
【００４０】
サイドカーテン２４ａの高さ（圧延後の金属板Ｓの表面からの高さ）にも、特に限定はない。すなわち、板道外のワークロール間隙から上方向に向かって飛散する圧延剤の飛散高さ、ワークロールの間隙の広さ、金属板Ｓの搬送速度、ワークロールの径等に応じて、板道外のワークロール間から飛散し、圧延後の金属板Ｓの表面上方に飛翔する圧延剤を、十分に遮蔽できる高さを、適宜、設定すればよいが、ワークロール１２ａのロール径の１／３以上の高さとすることが好ましい。
また、金属板の速度増加に従って、圧延剤の飛散も大きくなるため、最大の速度での飛散状況に応じてサイドカーテンの高さを決めると良い。
【００４１】
同様に、サイドカーテン２４ａの長さ（板道方向の長さ）にも、特に限定はない。すなわち、板道外のワークロール間隙から上方向に向かって飛散する圧延剤の飛散距離、ワークロールの間隙、金属板Ｓの搬送速度、ワークロールの径等に応じて、板道外のワークロール間から飛散し、圧延後の金属板Ｓの表面上方に飛翔する圧延剤を、十分に遮蔽できる長さを、適宜、設定すればよい。
【００４２】
また、サイドカーテン２４ａでの基材３０とフェルト３２（シート状物）の取り付け方法も特に限定するものではなく、例えば、縫いつけ、テープ、接着など、各種の方法が適用できる。
中でも、基材３０として編み目鋼板を用い、フェルト３２を縫いつけで取り付けるのが、最も簡便で、フェルト３２の取り替えも容易であるので好ましい。
【００４３】
サイドカーテン２４ａおよび２４ｂの取付け方法には、特に限定はなく、調質圧延装置１０の構成等に応じて、公知の板状物の取付け方法が、全て、利用可能である。
また、前述のように、サイドカーテン２４ａおよび２４ｂは、金属板Ｓの幅に応じて、金属板Ｓの幅方向に移動して、間隙を調整可能に構成される。サイドカーテン２４ａおよび２４ｂの移動方法には、特に限定はなく、調質圧延装置１０の構成等に応じて、公知の板状物の移動方法が、全て、利用可能である。
【００４４】
また、サイドカーテン２４ａおよび２４ｂの移動（間隔調整）は、手動でもよい。
しかしながら、上位からの指令（入力指示）、金属板Ｓの幅検出等に応じて、サイドカーテン２４ａおよび２４ｂを自動的に移動して、金属板Ｓの幅に追従するようにするのが好ましい。サイドカーテン２４ａおよび２４ｂの間隔の自動調整を行うように構成することで、作業材料毎にサイドカーテン２４ａおよび２４ｂの位置を調整する必要が無くなり、サイドカーテン２４ａおよび２４ｂの位置調整に起因する生産性の低下を防止できる。
【００４５】
以上、本発明の圧延装置について詳細に説明したが、本発明は、上述の例に限定はされず、本発明の要旨を逸脱しない範囲において、各種の改良や変更を行ってもよいのは、もちろんである。
【産業上の利用可能性】
【００４６】
各種の圧延鋼板やブリキ原板の製造ライン等に、好適に利用可能である。
【符号の説明】
【００４７】
１０  調質圧延装置
１２ａ  上側ワークロール
１２ｂ  下側ワークロール
１４ａ，１４ｂ  バックアップロール
１６ａ，１６ｂ  圧延剤供給装置
１８ａ，１８ｂ  洗浄装置
２０  コブルガード
２４ａ，２４ｂ  サイドカーテン
３０  基材
３２  フェルト
【図１】
0005948847.tif 000002
【図２】
0005948847.tif 000003
【図３】
0005948847.tif 000004